【事件の表示】
　特願２０１３−１９４４４３「バーチャル比較機能を備えた装置、バーチャル比較を行う方法、プログラム」拒絶査定不服審判事件〔平成２７年　３月３０日出願公開、特開２０１５−　５８２１８〕について、次のとおり審決する。
【結　論】
　本件審判の請求は、成り立たない。
【理　由】
第１　手続の経緯
　本願は、平成２５年９月１９日に出願され、平成２７年８月２８日付けで拒絶理由が通知され、同年１０月２６日付けで意見書並びに手続補正書が提出され、平成２８年３月１５日付けで拒絶査定（謄本送達日　同年４月１２日）がなされ、同年７月８日付けで審判請求書が提出され、同時に手続補正書が提出され、同年１１月４日付けで上申書が提出されたものである。
第２　本願発明
　本願の請求項１ないし４に係る発明は、平成２８年７月８日付け手続補正書により補正された特許請求の範囲の請求項１ないし４に記載された事項により特定されるとおりのものであって、請求項１に係る発明（以下「本願発明」という。）は、以下のとおりのものである。
　「表示部の画面上で走行比較を行うバーチャル比較機能を備えた装置であって、
　比較の対象になる第３者の過去の区間毎のペースを含む走行データが記憶された記憶部と、
　利用者自身の区間毎のペースを含む走行データを測定する測定部と、
　前記第３者が設定されると、前記記憶部から該当の第３者の走行データを読み出し、前記読み出した第３者の走行データと前記測定部で測定された利用者自身の走行データとに基づいて生成されるバーチャル比較データを前記表示部に表示する制御部と、を備え、
　前記制御部は、前記読み出した第３者の区間毎のペースを含む走行データから、前記利用者自身の区間毎の目標ペースを設定することを特徴とするバーチャル比較機能を備えた装置。」
第３　刊行物
１　引用文献
　原査定の拒絶の理由で引用され、本願の出願日前に頒布された刊行物である特開２０１１−２１０１１９号公報（以下「引用文献」という。）には以下の記載がある。
ア　「【００２３】
　図１は、本発明の一実施形態に係る情報処理システム１ａの概要を示す模式図である。図１を参照すると、
情報処理システム１ａを利用するユーザＵａが、ランニングをしている。情報処理システム１ａは、情報処理装置１００ａ、センサ群１０２ａ及び表示装置１０４ａを含む。
イ　「【００２５】
　
表示装置１０４ａは、ユーザＵａにより装着されている。表示装置１０４ａは、情報処理装置１００ａにより生成される出力画像を受信し、受信した出力画像をユーザＵａに向けて表示する。
ウ　「【００３５】
　＜２．一実施形態に係る情報処理装置の構成＞
　次に、図４〜図１４を用いて、本発明の一実施形態に係る情報処理装置１００の具体的な構成を説明する。まず、図４は、一実施形態に係る情報処理装置１００の構成の一例を示すブロック図である。図４を参照すると、
情報処理装置１００は、ユーザインタフェース１１０、ユーザデータ管理部１２０、計測部１３０、運動認識部１４０、位置取得部１５０、記憶部１６０、モデル生成部１７０、選択部１８０及び出力部１９０を備える。
【００３６】
　　［２−１．ユーザデータの登録］
　ユーザインタフェース１１０は、情報処理装置１００がユーザからの指示又は情報入力を受け付けるためのインタフェースを提供する。ユーザインタフェース１１０は、例えば、
表示装置１０４により表示される画面
エ　「【００４４】
　
位置取得部１５０は、ユーザが運動している間、ユーザの現在位置を周期的に取得する。
速度ベクトルを積算することにより、
オ　「【００４９】
　図７は、本実施形態に係る
運動モデル
運動モデルを識別するための１つのモデルＩＤ（Model  ID）
タイムスタンプごとにシーケンス番号（Seq.  Num.）
各シーケンス番号に、タイムスタンプ（Time）、位置（Position）、速度ベクトル（Speed  Vector）
の値が関連付けられている。
カ　「【００５２】
　選択部１８０は、ユーザ又はシステムにより指定された条件に従って、
記憶部１６０により記憶されている複数の運動モデルから、運動するユーザに向けて表示すべき１つ以上の運動モデルを選択する。
【００５３】
　図８は、本実施形態に係る
運動モデルについての人物のタイプについて
記憶部１６０により蓄積されている３つの運動モデルが示されている。
【００５４】
　図８の例において、運動モデルＭ１は、ユーザＵ０１による運動をモデル化した運動モデルである。即ち、情報処理システム１を利用しようとしているユーザＵ０１にとって、運動モデルＭ１は、
自分の過去の運動についての運動モデル
他ユーザの運動についての運動モデル
著名なスポーツ選手についての運動モデルＭ３
多くのユーザが目標とする運動のモデル
このような複数のタイプのうちユーザにより指定される特定のタイプの運動モデルを、表示すべき運動モデルとして選択する。
キ　「【００６２】
　　 （２−４−２．選択されたモデルの表示）
　
出力部１９０は、
選択された運動モデルについて、当該運動モデルに含まれる計測値と運動記述データにより特定される運動とを時系列で表現する一連の出力画像を生成する。そして、出力部１９０は、生成した出力画像を表示装置１０４へ出力する。
【００６３】
　本実施形態において、
出力部１９０により生成される出力画像は、運動記述データにより特定される運動をする人物を模した
ランニングをしているキャラクターを表示する出力画像
ク　「【００６５】
　図１０を参照すると、図中左の
運動モデルＭ２のシーケンス番号＃１に対応するタイムスタンプＴ１と位置Ｐ１とに応じて、時刻ｔにおけるキャラクター画像Ｃ０１が生成されている。また、運動モデルＭ２のシーケンス番号＃２に対応するタイムスタンプＴ２と位置Ｐ２とに応じて、時刻ｔ＋（Ｔ２−Ｔ１）におけるキャラクター画像Ｃ０４が生成されている。
ケ　「【００６９】
　図１１の左には、時刻ｔ１において生成されるキャラクター画像Ｃ１１が示されている（１１ａ参照）。
キャラクター画像Ｃ１１の表示位置は、例えば、図１に例示した情報システム１ａにおいては、選択された運動モデルの時刻ｔ１における人物の位置、ユーザの現在位置、及び表示装置１０４ａに設けられる方位センサにより検出されるユーザの視線の向き（方位）に基づいて決定され得る。
ユーザが前方を向いている場合には、ユーザは、ユーザよりも先行している人物を見ることができる。また、ユーザが後方を振り返った場合には、ユーザは、ユーザよりも遅れている人物を見ることができる。
 【００７０】
  さらに、
キャラクター画像Ｃ１１の大きさは、選択された運動モデルの位置データにより表される人物の位置とユーザの現在位置との間の距離に応じて決定される。
コ　「【００７７】
  図１３を参照すると、一例としての出力画像１９２ａが示されている。
出力画像１９２ａには、
ユーザ情報１９４及びモデル情報１９６が含まれる。
ユーザ情報１９４は、
運動開始からの経過時間
ユーザの走行距離、並びにユーザの現在の速度
を示している。
モデル情報１９６は、モデルとなる人物の運動開始からの走行距離、並びに当該人物の現在の速度
を示している。
【００７８】
  図１４を参照すると、他の一例としての出力画像１９２ｂが示されている。
出力画像１９２ｂには、
補足情報１９７、地図情報１９８
が含まれる。補足情報１９７は、モデルとなる人物とユーザとの間の現在の距離
地図情報１９８は、モデルとなる人物の位置とユーザの現在位置とを地図上に示す。
自分の現在の状況とモデルとなる人物の状況との差をより容易に把握することができる。
　上記アないしコを総合すると、引用文献には、以下の発明（以下「引用発明」という。）が記載されている。
　「ランニングをしているユーザが利用する情報処理システムは、情報処理装置、センサ群及び表示装置を含み、
　表示装置は、ユーザにより装着され、情報処理装置により生成される出力画像を受信し、受信した出力画像をユーザに向けて表示し、
　情報処理装置は、ユーザインタフェース、ユーザデータ管理部、計測部、運動認識部、位置取得部、記憶部、モデル生成部、選択部及び出力部を備え、
　表示装置は表示される画面を有し、
　位置取得部は、ユーザが運動している間、速度ベクトルを積算することにより、ユーザの現在位置を周期的に取得し、
　運動モデルは、運動モデルを識別するための１つのモデルＩＤ、タイムスタンプごとのシーケンス番号、各シーケンス番号に関連づけられている、タイムスタンプ、位置、速度ベクトルの値を有し、
　運動モデルについての人物のタイプについて、記憶部により３つの運動モデルが蓄積されており、
　３つの運動モデルは、自分の過去の運動についての運動モデル、他ユーザの運動についての運動モデル、著名なスポーツ選手についての運動モデルであり、
　著名なスポーツ選手についての運動モデルは多くのユーザが目標とする運動のモデルであり、
　このような複数のタイプのうちユーザにより指定される特定のタイプの運動モデルを、表示すべき運動モデルとして選択し、
　出力部は、選択された運動モデルについて、当該運動モデルに含まれる計測値と運動記述データにより特定される運動とを時系列で表現する一連の出力画像を生成し、生成した出力画像を表示装置へ出力し、
　出力部により生成される出力画像は、運動記述データにより特定される運動をする人物を模したランニングをしているキャラクターを表示する出力画像であり、
　運動モデルのシーケンス番号＃１に対応するタイムスタンプＴ１と位置Ｐ１とに応じて、時刻ｔにおけるキャラクター画像Ｃ０１が生成され、運動モデルのシーケンス番号＃２に対応するタイムスタンプＴ２と位置Ｐ２とに応じて、時刻ｔ＋（Ｔ２−Ｔ１）におけるキャラクター画像Ｃ０４が生成され、
　キャラクター画像Ｃ１１の表示位置は、選択された運動モデルの時刻ｔ１における人物の位置、ユーザの現在位置、及び表示装置に設けられる方位センサにより検出されるユーザの視線の向き（方位）に基づいて決定され、ユーザが前方を向いている場合には、ユーザは、ユーザよりも先行している人物を見ることができ、ユーザが後方を振り返った場合には、ユーザは、ユーザよりも遅れている人物を見ることができ、
　キャラクター画像Ｃ１１の大きさは、選択された運動モデルの位置データにより表される人物の位置とユーザの現在位置との間の距離に応じて決定され、
　出力画像には、ユーザ情報、モデル情報、補足情報、地図情報が含まれ、ユーザ情報は、運動開始からの経過時間、ユーザの走行距離、並びにユーザの現在の速度を示し、モデル情報は、モデルとなる人物の運動開始からの走行距離、並びに当該人物の現在の速度を示し、補足情報は、モデルとなる人物とユーザとの間の現在の距離の情報であり、地図情報は、モデルとなる人物の位置とユーザの現在位置とを地図上に示す、
　情報処理システム。」
２　周知事項
　一般に、ランニングの時間を計測する装置の技術分野において、「区間毎の目標ペースを設定し、利用者自身の区間毎のペースを測定すること」は、当業者に周知の事項である。以下のとおり、特開平９−６１５５８号公報、特開２００４−１６４４４号公報、特開平６−１５４３８１号公報には、当該周知の事項が開示されている。
（１）特開平９−６１５５８号公報
　特開平９−６１５５８号公報には、以下の記載がある。
ア　「【００１３】
【発明の実施の形態】以下、本発明の実施例を図面を参照しながら説明する。図１は、本発明の第１実施例の
電子腕時計
イ　「【００３５】最初の区間Ｐ０の
ラップの計測
ウ　「【００３７】この第１実施例によれば、目標とするトータル時間を入力すると、前回のレースのラップタイムから、目標とするトータル時間で走るための
区間毎の目標タイムが計算されて表示されるので、ユーザは自分の走行ペースに合った目標タイムを参考にして走ることができる。
　上記アないしウより、特開平９−６１５５８号公報には、「区間毎の目標タイムが計算されて表示され、ユーザは自分の走行ペースに合った目標タイムを参考にして走ることができ、ラップの計測を行う、電子腕時計。」の事項が記載されており、「区間毎の目標ペースを設定し、利用者自身の区間毎のペースを測定すること」が示されている。
（２）特開２００４−１６４４４号公報
　特開２００４−１６４４４号公報には、以下の記載がある。
ア　「【０００６】
【発明の実施の形態】
上記構成を適用することにより、つぎのような
自動ラップタイム計測が可能なランニング支援装置
イ　「【０００７】
また、
利用者のペース配分を支援するために、設定手段に目標ラップタイムゾーンを設定し、実測ラップタイムと目標ラップタイムゾーンを比較して、実測ラップタイムが目標ラップタイム下限を下回る場合（ペースが速い）、目標ラップタイムゾーン内にある場合（目標ペース）、目標ラップタイム上限を上回る場合（ペースが遅い）、それぞれの比較結果に応じて報知手段により報知し利用者に知らせる
　上記ア、イより、特開２００４−１６４４４号公報には、「利用者のペース配分を支援するために、設定手段に目標ラップタイムゾーンを設定し、実測ラップタイムと目標ラップタイムゾーンを比較して、実測ラップタイムが目標ラップタイム下限を下回る場合（ペースが速い）、目標ラップタイムゾーン内にある場合（目標ペース）、目標ラップタイム上限を上回る場合（ペースが遅い）、それぞれの比較結果に応じて報知手段により報知し利用者に知らせる、自動ラップタイム計測が可能なランニング支援装置。」の事項が記載されており、「区間毎の目標ペースを設定し、利用者自身の区間毎のペースを測定すること」が示されている。
（３）特開平６−１５４３８１号公報
　特開平６−１５４３８１号公報には、以下の記載がある。
ア　「【０００２】
【従来の技術】陸上競技の長距離走等では、
競技中の走者が自分のペース等を判断するため、
【０００３】
【発明が解決しようとする課題】本発明は上記従来の問題に鑑み、所要の携帯用端末機を携帯して走行すれば、チェックポイントを通過するとき、ボタン操作等を行わなくとも
自動的にラップタイムの計時が行われて
イ　「【０００９】また、
予め携帯用端末機２にラップタイムの目標値を書き込んでおき、チェックポイント通過時、目標ラップタイムとの差を音声で出力する
　上記ア、イより、特開平６−１５４３８１号公報には、「競技中の走者が自分のペース等を判断するため、自動的にラップタイムの計時が行われ、予めラップタイムの目標値を書き込んでおき、チェックポイント通過時、目標ラップタイムとの差を音声で出力する携帯用端末機。」の事項が記載されており、「区間毎の目標ペースを設定し、利用者自身の区間毎のペースを測定すること」が示されている。
第４　対比
　本願発明と引用発明とを対比すると、引用発明の「表示装置」の「表示される画面」は、本願発明の「表示部の画面」に相当する。
　引用発明の「運動モデルのシーケンス番号＃１に対応するタイムスタンプＴ１と位置Ｐ１とに応じて、時刻ｔにおけるキャラクター画像Ｃ０１が生成され、運動モデルのシーケンス番号＃２に対応するタイムスタンプＴ２と位置Ｐ２とに応じて、時刻ｔ＋（Ｔ２−Ｔ１）におけるキャラクター画像Ｃ０４が生成され、
　キャラクター画像Ｃ１１の表示位置は、選択された運動モデルの時刻ｔ１における人物の位置、ユーザの現在位置、及び表示装置に設けられる方位センサにより検出されるユーザの視線の向き（方位）に基づいて決定され、ユーザが前方を向いている場合には、ユーザは、ユーザよりも先行している人物を見ることができ、ユーザが後方を振り返った場合には、ユーザは、ユーザよりも遅れている人物を見ることができ、
　キャラクター画像Ｃ１１の大きさは、選択された運動モデルの位置データにより表される人物の位置とユーザの現在位置との間の距離に応じて決定され、
　出力画像には、ユーザ情報、モデル情報、補足情報、地図情報が含まれ、ユーザ情報は、運動開始からの経過時間、ユーザの走行距離、並びにユーザの現在の速度を示し、モデル情報は、モデルとなる人物の運動開始からの走行距離、並びに当該人物の現在の速度を示し、補足情報は、モデルとなる人物とユーザとの間の現在の距離の情報であり、地図情報は、モデルとなる人物の位置とユーザの現在位置とを地図上に示す」という機能は、本願発明の「表示部の画面上で走行比較を行うバーチャル比較機能」に相当する。
　引用発明の「情報処理装置、センサ群及び表示装置を含む情報処理システム」は、本願発明の「バーチャル比較機能を備えた装置」に相当する。
　引用発明の「タイムスタンプごとのシーケンス番号、各シーケンス番号に関連づけられている、タイムスタンプ、位置、速度ベクトルの値」は、本願発明の「走行データ」に相当する。
　引用発明の「他ユーザの運動についての運動モデル、著名なスポーツ選手についての運動モデル」から、「表示すべき運動モデルとして選択」された「ユーザにより指定される特定のタイプの運動モデル」の「運動モデルを識別するための１つのモデルＩＤ、タイムスタンプごとのシーケンス番号、各シーケンス番号に関連づけられている、タイムスタンプ、位置、速度ベクトルの値」は、本願発明の「比較の対象になる第３者の過去の走行データ」に相当する。
　引用発明の「運動モデルについての人物のタイプについて」、「３つの運動モデルが蓄積されて」いる「記憶部」は、本願発明の「比較の対象になる第３者の過去の走行データが記憶された記憶部」に相当する。
　引用発明の「表示すべき運動モデル」が「選択」されることは、本願発明の「第３者が設定」されることに相当する。
　引用発明の「ユーザが運動している間、ユーザの現在位置を周期的に取得」する「位置取得部」は、本願発明の「利用者自身の走行データを測定する測定部」に相当する。
　引用発明の「出力部」は、選択された運動モデルのシーケンス番号に対応するタイムスタンプと位置とに応じて、その時刻における「キャラクター画像」を生成するものであることからすれば、記憶部から選択された運動モデルのシーケンス番号に対応するタイムスタンプと位置を読み出していることは自明である。したがって、引用発明の「出力部」は、本願発明の「第３者が設定されると、記憶部から該当の第３者の走行データを読み出」す機能を備えているといえる。
　引用発明の「ユーザが前方を向いている場合には、ユーザは、ユーザよりも先行している人物を見ることができ、ユーザが後方を振り返った場合には、ユーザは、ユーザよりも遅れている人物を見ることができ、キャラクター画像Ｃ１１の大きさは、選択された運動モデルの位置データにより表される人物の位置とユーザの現在位置との間の距離に応じて決定され、出力画像には、ユーザ情報、モデル情報、補足情報、地図情報が含まれ、ユーザ情報は、運動開始からの経過時間、ユーザの走行距離、並びにユーザの現在の速度を示し、モデル情報は、モデルとなる人物の運動開始からの走行距離、並びに当該人物の現在の速度を示し、補足情報は、モデルとなる人物とユーザとの間の現在の距離の情報であり、地図情報は、モデルとなる人物の位置とユーザの現在位置とを地図上に示す」ことは、本願発明の「読み出した第３者の走行データと前記測定部で測定された利用者自身の走行データとに基づいて生成されるバーチャル比較データを前記表示部に表示する」ことに相当する。したがって、引用発明の「出力部」は、本願発明の「前記読み出した第３者の走行データと前記測定部で測定された利用者自身の走行データとに基づいて生成されるバーチャル比較データを前記表示部に表示する制御部」に相当する。
　引用発明において、著名なスポーツ選手の運動モデルはユーザが目標とする運動のモデルであるから、著名なスポーツ選手を運動モデルとして選択したときの「モデルとなる人物の現在の速度、モデルとなる人物とユーザとの間の現在の距離、モデルとなる人物の地図上での位置」は、ユーザの「目標」といえる。そして、「出力部」は、「選択された運動モデルのタイムスタンプや位置、速度ベクトル」から、「モデルとなる人物の現在の速度、モデルとなる人物とユーザとの間の現在の距離、モデルとなる人物の地図上での位置」を生成しているから、引用発明の「出力部」は、本願発明の「制御部」と、「読み出した第３者の走行データから、利用者自身の目標を設定する制御部」との概念で共通する。
　以上より、本願発明と引用発明とは、
　「表示部の画面上で走行比較を行うバーチャル比較機能を備えた装置であって、
　比較の対象になる第３者の過去の走行データが記憶された記憶部と、
　利用者自身の走行データを測定する測定部と、
　前記第３者が設定されると、前記記憶部から該当の第３者の走行データを読み出し、前記読み出した第３者の走行データと前記測定部で測定された利用者自身の走行データとに基づいて生成されるバーチャル比較データを前記表示部に表示する制御部と、を備え、
　前記制御部は、前記読み出した第３者の走行データから、前記利用者自身の目標を設定する、バーチャル比較機能を備えた装置。」
　である点で一致し、以下の点で相違する。
［相違点］
　本願発明では、第３者の過去の走行データ及び利用者自身の走行データが「区間毎のペース」を含み、第３者の「区間毎のペース」を含む走行データから、利用者自身の「区間毎の目標ペース」を設定するのに対し、引用発明では、第３者の過去の走行データ及び利用者自身の走行データが「区間毎のペース」を含むことは明らかでなく、第３者の「区間毎のペース」を含む走行データから、利用者自身の「区間毎の目標ペース」を設定することについても明らかでない点。
第５　判断
　上記相違点について検討する。上記第３の２のとおり、一般に、ランニングの時間を計測する装置の技術分野において、「区間毎の目標ペースを設定し、利用者自身の区間毎のペースを測定すること」は、当業者に周知の事項である。そして、引用発明と当該周知の事項とは、ランニングにおいて目標を設定し、利用者自身の走行データを測定する点で共通しているから、引用発明に対し、当該周知の事項を適用して、第３者の過去の走行データに区間毎のペースを含めて、第３者の区間毎のペースを含む走行データから利用者自身の区間毎の目標ペースを設定するとともに、利用者自身の区間毎のペースを測定して利用者自身の走行データが区間毎のペースを含むようにして、上記相違点に係る本願発明の発明特定事項とすることは、当業者が容易に想到し得たものである。
　本願発明が奏する効果について検討しても、引用発明及び上記周知の事項の範囲内のものである。
第６　まとめ
　以上のとおり、本願発明は、引用発明及び前記周知の事項に基づいて当業者が容易に発明をすることができたものであるから、特許法第２９条第２項の規定により、本願は拒絶されるべきものである。
　よって、結論のとおり審決する。